(57)【要約】遠隔アクセス装置は、ある場所内で各ブルートゥース装置と通信するように構成されている。前記場所内で２つのブルートゥース装置間の通信が望まれている場合、遠隔アクセス装置により、ユーザが、この遠隔アクセス装置から各ブルートゥース装置にコマンドや他の情報を送って、これらの２つの装置間の通信チャンネルを起動させることができる。遠隔アクセス装置を用いて、ユーザは、各ブルートゥース装置を選択して、必要に応じてＰＩＮを入力して、確認要求に応答する、といった処理を実行する。各ブルートゥース装置は互いに離れているので、遠隔アクセス装置を用いると、ユーザは、物理的に離れたブルートゥース装置間でいったりきたりすることなくブルートゥース装置間の通信を起動させることが可能である。
2005531961.tif 000002
【特許請求の範囲】
【請求項１】
遠隔アクセス装置であって、
前記遠隔アクセス装置と複数のブルートゥース装置の間で通信を行うよう構成された通信装置と、
前記通信装置と連動するように結合され、前記遠隔アクセス装置と前記複数のブルートゥース装置の間での通信に基づいて、前記複数のブルートゥース装置それぞれからの装置メッセージをレンダリングするように構成されているレンダリング装置と、
前記通信装置と連動するように結合され、前記複数のブルートゥース装置のそれぞれにユーザのメッセージを送るように構成された入力装置と、
前記通信装置、前記レンダリング装置、および前記入力装置と連動するように結合され、前記複数のブルートゥース装置の第１ブルートゥース装置と第２ブルートゥース装置に前記遠隔アクセス装置により送られるユーザメッセージに基づいて、前記第１ブルートゥース装置と前記第２ブルートゥース装置の間での通信の起動を容易にするように構成された制御装置と、
を含むことを特徴とする遠隔アクセス装置。
【請求項２】
前記入力装置への入力を介して前記ユーザメッセージの形成を容易にするメモリをさらに含むことを特徴とする請求項１に記載の遠隔アクセス装置。
【請求項３】
前記メモリは、前記第１のブルートゥース装置と前記第２のブルートゥース装置のそれぞれに対応する起動情報を含むように構成されていることを特徴とする請求項２に記載の遠隔アクセス装置。
【請求項４】
前記遠隔アクセス装置はさらに、前記複数のブルートゥース装置の１つまたはそれ以上の装置に動作コマンドを送って、前記入力装置への入力を介して前記１つまたは複数の装置の制御を実行するように構成されることを特徴とする請求項１に記載の遠隔アクセス装置。
【請求項５】
前記制御装置は、前記レンダリング装置を介して前記複数のブルートゥース装置の１つまたは複数のリストをレンダリングするように構成され、さらに、
前記第１および第２ブルートゥース装置の少なくとも１つが、前記入力装置を介して、前記１つまたは複数のリストからのユーザ選択に基づいて、前記複数のブルートゥース装置から選択されることを特徴とする請求項１に記載の遠隔アクセス装置。
【請求項６】
前記制御装置はさらに、前記複数のブルートゥース装置の間でメッセージを中継するように構成されていることを特徴とする請求項１に記載の遠隔アクセス装置。
【請求項７】
ブルートゥース装置であって、
前記ブルートゥース装置と複数の他のブルートゥース装置の間で通信を実行するように構成された通信装置と、
前記ブルートゥース装置と他のブルートゥース装置のそれぞれの間の起動プロトコルに基づいて通信を制御するように構成された制御装置と、
前記制御装置は、前記複数の他のブルートゥース装置の遠隔装置が前記複数の他のブルートゥース装置の他の装置の代理装置として機能できるように構成され、
前記ブルートゥース装置と前記遠隔アクセス装置の間の通信ならびに前記遠隔装置と前記他の装置の間の通信を介して前記ブルートゥース装置と前記他の装置の間で起動プロトコルが実行されることを特徴とする前記ブルートゥース装置。
【請求項８】
前記他の装置に関連した起動情報を記憶するよう構成されたメモリをさらに含み、
前記制御装置はさらに、前記起動情報に基づいて前記ブルートゥース装置と前記他の装置の間の通信を制御するように構成されていることを特徴とする請求項７に記載のブルートゥース装置。
【請求項９】
前記ブルートゥース装置の基本機能を実行する機能要素をさらに含み、
前記制御装置はさらに、前記遠隔装置からの通信に基づいて前記機能要素を制御するように構成されていることを特徴とする請求項７に記載のブルートゥース装置。
【請求項１０】
第１ブルートゥース装置と第２ブルートゥース装置の間の通信を実行する方法であって、
遠隔装置から前記第１ブルートゥース装置に１つまたは複数の第１コマンドを送るステップと、
前記遠隔装置から前記第２ブルートゥース装置に１つまたは複数の第２コマンドを送るステップとを備え、
前記第１コマンドは、前記第２ブルートゥース装置と通信するための第１起動情報を含み、
前記第２コマンドは、前記第１ブルートゥース装置と通信するための第２起動情報を含み、
前記遠隔装置からの第１及び第２コマンドを通信した後で、前記第１および第２ブルートゥース装置間で通信が実行されることを特徴とする方法。
【請求項１１】
前記遠隔装置において前記第１および第２ブルートゥース装置のそれぞれからのメッセージをレンダリングして、前記第１および第２コマンドの通信を容易にするステップをさらに含むことを特徴とする請求項１０に記載の方法。
【請求項１２】
前記メッセージには、ブルートゥース装置のリストが１つまたは複数個含まれ、
前記第１および第２コマンドは、前記１つまたは複数のブルートゥース装置リストからの前記第１および第２ブルートゥース装置の選択に応じて通信されることを特徴とする請求項１１に記載の方法。
【請求項１３】
前記第１および第２起動情報の少なくとも一部は前記遠隔装置に記憶されることを特徴とする請求項１０に記載の方法。
【発明の詳細な説明】
【技術分野】
【０００１】
本発明はネットワーク通信分野に関し、具体的には、装置間のブルートゥース接続を容易にするワイヤレス装置に関する。
【背景技術】
【０００２】
ブルートゥースは、特別な方式でワイヤレスネットワークを確立するためのワイヤレスネットワークの基準である。各ブルートゥース起動装置は短距離信号を送り出すように構成されている。すなわち、新しい装置が前記起動装置の範囲内にあれば、起動プロトコルが起動して、装置間の通信チャンネルを確立する。クラス１ブルートゥース装置の公称距離は１００メートルで、クラス２ブルートゥースのは、１０メートルで、クラス３ブルートゥースのは、１０メートル未満である。大半のブルートゥース装置は、１０メートルの範囲のクラス２の装置であるのが望ましい。
【０００３】
ブルートゥースは、装置間の安全保守通信と非安全保守通信をどちらもサポートしている。各ブルートゥース装置は固有の４８ビットアドレスにより識別可能であり、１２８ビット個別認証キー、８−１２８ビット個別認証キー、および１２８ビット乱数生成器を備えている。上記起動プロトコルは装置の固有アドレスと、無作為に生成されたナンバーと、秘密のＰＩＮ（個人識別ナンバー）とを使用して、未だに安全保守がなされてないチャンネル上での安全保守が保たれたキー交換を容易にしている。起動プロセスは通常、ＰＩＮをブルートゥース装置に手動で入力するように求める。
【０００４】
ブルートゥース起動プロトコルは、明らかに、互いに距離の範囲内にいる２人のブルートゥースユーザ、またはブルートゥース起動ＡＴＭ（自動現金支払い機）に到着するブルートゥース起動ＰＤＡ（Personal Data Assistant：個人データ支援器）のユーザのように同時に２つのブルートゥース装置に直接アクセスする１人のユーザといった規範に基づいている。例えば、ユーザはＡＴＭに到達して、ブルートゥース起動装置の１方または両方からの放射電波を上記のように検出するとブルートゥース起動プロセスが始まる。ユーザは、ＰＤＡにＰＩＮを入力するように求められる。例えば、確認をキーバッドを介してＡＴＭに入力するように求められる。明らかに、ユーザがＡＴＭのある場所にいない場合には、ユーザはＡＴＭとの取引を始めようとはしてないことを意味している。
【０００５】
ブルートゥース装置が互いに物理的に離れている場合または一人のユーザがこうした装置間の通信を確立しようとするときには、問題、または少なくとも不便な事態が発生する。こうした装置が互いに１０メートルの範囲内にある場合でさえ、ユーザが各装置に働きかけて互いの選択をして、必要に応じて１つまたは複数のＰＩＮを入力したり、といった処理を終えるまでずっと通信は確立されることはない。これらの装置が同じ場所にない場合には、起動プロトコルが実行されると、ユーザは各装置間を行ったり来りしなければならない。同様に、ＰＩＮの交換によりこれらの装置が「一対」になったあとに問題または不便な事態が発生する。一方から他方へのファイルの転送など装置間の実際の通信が望ましいときに、ユーザは、この通信にたいしてはマスターまたはスレーブとして各装置を構成または再構成しなければならず、特定の通信方式またはプロトコルを実行するように各装置を構成しなければならない場合もある。
【発明の開示】
【発明が解決しようとする課題】
【０００６】
本発明の目的は、２つのブルートゥース装置間の通信を起動する仕事を容易にすることにある。本発明の他の目的は２つ以上のブルートゥース装置間の通信を容易にする遠隔アクセス装置を提供することにある。
【課題を解決するための手段】
【０００７】
上記および他の目的は、ある場所内の各ブルートゥース装置と通信するよう構成される遠隔アクセス装置により達成される。この場所内での２つのブルートゥース装置間の通信が望ましいときには、この遠隔アクセス装置により、ユーザが、遠隔アクセス装置から各ブルートゥース装置に複数のコマンドや他の情報を送って、これらの２つの装置間の通信チャンネルを起動させる。遠隔アクセス装置を用いて、ユーザは各ブルートゥース装置の選択を行い、必要に応じてＰＩＮを入力して、確認要求に応答するなどの処理を実行する。各ブルートゥース装置は遠隔アクセス装置から離れており互いからも離れているので、遠隔アクセス装置を用いて、ユーザは、物理的に離れたブルートゥース装置の間を行ったり来りすることなくブルートゥース装置間の通信を起動させることができる。
【０００８】
本発明は、実施例を通して、添付図面を参照しながら、以下により詳細に説明される。
【０００９】
添付図面を通して、同じ参照番号は同様または対応する構成要素や機能を示している。
【実施例】
【００１０】
図１は、本発明によるブルートゥースネットワーク１００の構成図である。図１には、３つのブルートゥース装置１１０，１２０，１３０と遠隔アクセス装置１５０とが示してある。従来のブルートゥースネットワークにおけるように、装置１１０，１２０，１３０は互いと通信するように構成されているが、ただし、起動プロトコルが実行されて通信が可能となるだけである。この起動プロトコルは、各装置に表示された装置のリストから対応する装置を選択したり、どちらの装置がマスターでどちらがスレーブかを識別したりすることと同様に単純である。通信における安全保守がますます一般的になっているので、一般的な起動プロトコルにも、ユーザのＰＩＮなどの安全保守パラメータが含まれている。説明を容易にするために、起動プロセス中に通信された情報は、以後「起動情報」と呼び、その情報を受けとると、装置間の通信が起動される。
【００１１】
一般に、通信チャンネルが「一対」のブルートゥース装置間で確立されるたびに、起動情報が通信される、ただし、本発明の原理は、以下に解説されるように、ブルートゥース装置間の対形成を容易にすることにも拡大可能である。
【００１２】
本発明によると、最初に、遠隔アクセス装置１５０は、各ブルートゥース装置１１０ないし１３０と通信できるように構成される。これは、遠隔アクセス装置により１つのブルートゥース装置１１０乃至１３０から次のブルートゥース装置に進めて、それぞれに共通ＰＩＮを入力して各ブルートゥース装置１１０乃至１３０と遠隔アクセス装置１５０の対を形成することにより、従来の方式で実行可能である。
【００１３】
特定のブルートゥース装置にＰＩＮを入力する入力手段が備えてない場合には、その装置は、ユーザに提供されることになる内部ＰＩＮをもつように構成される。遠隔アクセス装置１５０とこの特定の装置の間の対を確立するには、ユーザは、遠隔アクセス装置１５０がこの特定の装置のそばにある間には内部ＰＩＮを遠隔アクセス装置１５０に入力しさえすればよい。
【００１４】
特定のブルートゥース装置に、赤外線コントローラなどの遠隔コントローラからの入力情報を受け取る機能が備えてあり、遠隔アクセス装置１５０が、この遠隔入力情報を送るための赤外線送信器などの手段を備えている場合には、遠隔アクセス装置１５０は、この特定のブルートゥース装置との対を離れた状態で形成可能である。
【００１５】
遠隔アクセス装置１５０がブルートゥース装置１１０，１２０および１３０のそれぞれと対にされると、ユーザは遠隔アクセス装置１５０を介してブルートゥース装置１１０，１２０および１３０のそれぞれからの起動情報に対する要求に応えることができるので、遠隔アクセス装置１５０における特定の通信用の起動プロトコルが簡単になる。例えば、単純な起動プロトコルでは、ブルートゥース装置１１０が、認証された一対の装置１２０と１３０のリストを遠隔アクセス装置１５０に送って、ユーザが、起動プロセスを実行する適切な装置を選択することができる。代わりに、以下に詳述されるように、遠隔アクセス装置１５０は、その内部メモリから認証された一対の装置のリストを表示して、ユーザがリストから装置を選択することで選択装置間の起動プロトコルを実行できるように構成可能である。
【００１６】
ユーザは遠隔アクセス装置１５０を介して動作を起動したり照合に応答できるので、ユーザは、起動プロトコルシーケンスが進むにつれて１つの装置から他の装置に移動する必要なしに２つのブルートゥース装置間の通信を起動することができる。安全保守型の通信を確立する代表的な起動プロセスは以下の通りである。
【００１７】
ユーザは遠隔アクセス装置１５０にアクセスして、利用可能なブルートゥース装置のリストを要求する。これらの装置は一般に、装置１５０と以前対にされた装置や装置１５０の範囲内に現在ある装置である。このリストから、ユーザは、マスター装置、例えば装置１０と、スレーブ装置、例えば装置１３０を選択して、「接続」シーケンスを起動する。装置１１０と１２０は装置１５０により以前アクセスされた場合には、装置１５０は、以前に定義された起動情報を装置１１０と１３０のそれぞれに送りされすればよい。または装置１５０は各装置１１０と１３０の間で情報を転送する中継器として機能する。代わりに、装置１１０と１３０は、装置１５０から起動情報を受け取ると、互いの装置の間で情報を転送するよう構成可能である。複数のユーザコマンドを装置１１０と１３０のそれぞれに送る遠隔アクセス装置１５０により２つの装置１１０と１３０の間の起動プロトコルを実行する上記および他のプロトコルは、本明細書の開示に照らして当業者には明らかである。
【００１８】
本発明の好適実施例では、遠隔アクセス装置１５０は、遠隔制御装置としても構成される。国際公開第０１／２０５７２号パンフレット「移動極における制御情報のダウンロードによる電子装置の遠隔制御（REMOTE CONTROL OF AN ELECTRONIC DEVICE THROUGH DOWNLOADING OF CONTROL INFORMATION IN A MOBILE STATION）」１９９９年９月１０日出願、John R. Bell−−参考のため本明細書に統合されている−−には、他の装置の制御情報をダウンロードして、その後、この情報を使用してその「他の装置」を制御するよう構成された可搬式装置が開示されている。特に注意すべきことは、この参照された国際公開には、プログラム式可搬式装置を介したブルートゥース装置の遠隔制御が開示されていることである。本発明の文脈では、制御情報は遠隔アクセス装置１５０にプログラムされたり、特定の装置１１０，１２０，１３０またはインターネットサイトなどの遠隔ソースから遠隔アクセス装置１５０に送られる。この方式で、遠隔アクセス装置１５０は、遠隔制御装置としての機能と、ブルートゥース装置間の通信の起動を容易にする装置としての機能を備えることになる。
【００１９】
図２は、本発明による遠隔アクセス装置１５０の構成図である。装置１５０は、ディスプレイ２２０上または他のレンダリング装置上に表示されたメッセージに応えたユーザの指示を受け取るキーパッド２１０または他の入力装置を備えている。たとえば、入力装置２１０およびレンダリング装置２２０の少なくとも一方は、音響装置、映像装置またはユーザと入出力取引を実行する他の装置である。装置１５０には、ブルートゥース装置と通信する通信装置２４０と、装置２１０，２２０および２４０のそれぞれの動作を制御する制御装置２５０とを備えている。遠隔アクセス装置１５０の好適実施例には、起動情報を記憶するメモリや、図１の装置１１０，１２０，１３０などの外部装置間の通信の起動を容易にする他の要素も備えている。
【００２０】
図３は、本発明によるブルートゥース装置１１０の構成図を示している。装置１１０には、テレビジョン機能、ＰＤＡ機能など、装置１１０の主要機能を備えている機能要素３１０が含まれている。この装置１１０はさらに、他のブルートゥース装置との通信の起動を容易にする通信装置３４０や、制御装置３５０や、メモリ３６０も備えている。従来のブルートゥース装置では、他のブルートゥース装置との通信を実行するためのユーザとの対話が同じ範囲内の場所で実行されていた。本発明によると、ブルートゥース装置１１０は、通信装置３４０を介してユーザとの対話を実行するようにも構成されている。メッセージが装置１１０から送信され、図１と図２の遠隔アクセス装置１５０からの応答やコマンドは、装置１１０の通信装置３４０や装置１５０の通信装置２４０を介して受け取られる。上述したように、好適実施例では、機能要素３１０は、通信装置２４０と３４０を介して遠隔アクセス装置１５０により離れて制御可能になっている。
【００２１】
上記の説明は本発明の原理を示したにすぎない。したがって、当業者は、本明細書に明示されてないにもかかわらず、本発明の精神と範囲内において本発明の原理を具体化する様々な構成を考案することが可能であることが理解できるであろう。例えば、本発明はブルートゥース装置１１０，１２０，１３０から離れている遠隔アクセス装置１５０に関して開示されたが、遠隔アクセス装置１５０の機能は、ＰＤＡや、パームトップや、ラップトップコンピュータなどの選択されたブルートゥース装置に組み込むことも可能である。同様に、遠隔アクセス装置１５０の機能は、テレビや、パソコンなどの従来からある据置型の装置にも統合可能である。これにより、ユーザは、その時にユーザに最も便利のよいブルートゥース装置から装置間の通信を起動させることが可能になる。上記および他のシステム構成および最適化構成は、本開示に照らして当業者には明らかであり、請求項の範囲に含まれている。
【図面の簡単な説明】
【００２２】
【図１】本発明によるブルートゥースネットワークのブロック図である。
【図２】本発明による遠隔アクセス装置のブロック図である。
【図１】
2005531961.tif 000003
【図２】
2005531961.tif 000004
【図３】
2005531961.tif 000005
【国際調査報告】
2005531961.tif 000006
2005531961.tif 000007
2005531961.tif 000008